【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
カートンであって、
頂壁内側パネルと、この頂壁内側パネルに対して折曲可能に連結された互いに対向した一対をなす端部パネルと、前記頂壁内側パネルを横断して前記両端部パネルの間に延在する一体型のストラップハンドルと、を具備し、
前記ストラップハンドルが、中央把持部と、この中央把持部の各端部に連結された一対をなす広幅部と、これら広幅部のそれぞれに連結された両端部と、を備え、
前記各広幅部が、一対をなす斜め側部エッジを有しており、これら斜め側部エッジが、中央把持部から隣接端部へと広がっており、
前記両端部が、前記端部パネルから形成され、
前記中央把持部と前記広幅部とが、前記頂壁内側パネルから形成され、
前記ストラップハンドルが、前記両端部において前記端部パネルに対して連結され、この場合、前記ストラップハンドルが、前記頂壁内側パネルがなす平面内に前記中央把持部と前記広幅部とが位置している待機位置から、前記頂壁内側パネルがなす前記平面よりも上側へと前記中央把持部がアーチ状に突出した使用位置へと、移行可能なものとされ、
前記ストラップハンドルが、前記頂壁内側パネル内において、前記頂壁内側パネルを横断して延在する開口を形成し、
前記カートンが、さらに、複合型の頂壁を形成し得るよう、前記頂壁内側パネルの外面に対して固定される頂壁外側パネルを具備し、
この頂壁外側パネルが、前記中央把持部に対して部分的に鉛直方向において位置合わせされかつ前記広幅部に対して部分的に位置合わせされるハンドルアクセス開口を備え、
このハンドルアクセス開口が、前記広幅部を横切ってそれぞれ延在する両対向エッジを有し、
これら両対向エッジに沿った前記ハンドルアクセス開口の幅が、前記両対向エッジに沿った前記広幅部の幅よりも大きいものとされ、これにより、前記ストラップハンドルが前記使用位置へと移行した時には、前記各広幅部の一部が、前記ハンドルアクセス開口を通して延在し得るものとされていることを特徴とするカートン。
【請求項２】
請求項１記載のカートンにおいて、
前記対向エッジの各々が、前記各広幅部の前記斜め側部エッジを横断して配置されていることを特徴とするカートン。
【請求項３】
請求項２記載のカートンにおいて、
レリーフノッチが、前記頂壁内側パネルから形成されかつ前記頂壁内側パネルに対して折曲可能に連結されている少なくとも１つの折曲可能タブによって規定されていることを特徴とするカートン。
【請求項４】
請求項３記載のカートンにおいて、
前記レリーフノッチが、折曲可能タブによって規定され、
このタブが、前記頂壁内側パネル内のスリットと、前記折曲可能タブを前記頂壁内側パネルに対して折曲可能に連結している折曲線と、によって規定されていることを特徴とするカートン。
【請求項５】
請求項３記載のカートンにおいて、
前記レリーフノッチが、複数の折曲可能タブによって規定されていることを特徴とするカートン。
【請求項６】
請求項５記載のカートンにおいて、
前記レリーフノッチを規定するための前記複数の折曲可能タブが、１つまたは複数のスリットによって前記頂壁内側パネルから切り出され、この場合、前記ストラップハンドルが前記使用位置に移行した時には、前記各広幅部の前記一部が、１つまたは複数のスリット内へと進入するものとされ、これにより、１つまたは複数の前記折曲可能タブを上向きに押し上げるとともに残りの前記折曲可能タブを下向きに押し下げることを特徴とするカートン。
【請求項７】
請求項６記載のカートンにおいて、
前記レリーフノッチを規定するための前記複数の折曲可能タブが、折曲線に沿って前記頂壁内側パネルに対して連結され、
前記レリーフノッチを形成するための前記１つまたは複数のスリットが、前記折曲線を起点とし、かつ、前記開口の前記対応側部エッジのところにまで、延在していることを特徴とするカートン。
【請求項８】
請求項１記載のカートンにおいて、
前記頂壁内側パネルが、前記開口の対応側部エッジに沿って前記広幅部の各々を直接的に連結している位置にレリーフノッチを有し、これにより、前記ストラップハンドルが前記使用位置へと移行した時には、前記各広幅部の一部が、前記レリーフノッチを通して延在し得るものとされていることを特徴とするカートン。
【請求項９】
カートンであって、
頂壁パネルと、底壁パネルと、これら頂壁パネルおよび底壁パネルを相互連結することによってチューブ状構造を形成する対向側壁パネルと、前記チューブ状構造の両端部を少なくとも部分的に閉塞する互いに対向した端部閉塞構造と、前記頂壁パネルを横断して前記端部閉塞構造の間に延在する一体型のストラップハンドルと、を具備し、
前記端部閉塞構造の各々が、前記側壁パネルに対して折曲可能に連結される側壁端部フラップと、前記頂壁パネルに対して折曲可能に連結される頂壁端部フラップと、を備え、
前記各端部閉塞構造の前記頂壁端部フラップが、隣接する前記側壁端部フラップの外面上に配置され、
前記ストラップハンドルが、前記頂壁パネルから形成された中央把持部と、前記各頂壁端部フラップから形成されかつ互いに対向する両端部と、を備え、
前記ストラップハンドルが、前記両端部において前記端部閉塞構造に対して連結され、この場合、前記ストラップハンドルが、前記頂壁端部フラップがなす各平面内に前記両端部が位置している待機位置から、前記各平面よりも内方位置へと前記両端部が内方移動している使用位置へと、移行可能なものとされ、
前記各端部閉塞構造の前記側壁端部フラップの少なくとも一方が、折曲可能フラップを有し、
この折曲可能フラップが、前記ストラップハンドルの隣接端部に沿って配置され、これにより、前記ストラップハンドルが前記使用位置へと移行した時には、前記端部の前記内方移動に対応して、前記折曲可能フラップが内方移動し得るものとされ、
前記折曲可能フラップの各々が、前記ストラップハンドルを補強し得るよう、前記ストラップハンドルの前記両端部のそれぞれに対して固定されていることを特徴とするカートン。
【請求項１０】
カートンであって、
頂壁パネルと、底壁パネルと、これら頂壁パネルおよび底壁パネルを相互連結することによってチューブ状構造を形成する対向側壁パネルと、前記チューブ状構造の両端部を少なくとも部分的に閉塞する互いに対向した端部閉塞構造と、前記頂壁パネルを横断して前記端部閉塞構造の間に延在する一体型のストラップハンドルと、を具備し、
前記端部閉塞構造の各々が、前記側壁パネルに対して折曲可能に連結される側壁端部フラップと、前記頂壁パネルに対して折曲可能に連結される頂壁端部フラップと、を備え、
前記各端部閉塞構造の前記頂壁端部フラップが、隣接する前記側壁端部フラップの外面上に配置され、
前記ストラップハンドルが、前記頂壁パネルから形成された中央把持部と、前記各頂壁端部フラップから形成されかつ互いに対向する両端部と、を備え、
前記ストラップハンドルが、前記両端部において前記端部閉塞構造に対して連結され、この場合、前記ストラップハンドルが、前記頂壁端部フラップがなす各平面内に前記両端部が位置している待機位置から、前記各平面よりも内方位置へと前記両端部が内方移動している使用位置へと、移行可能なものとされ、
前記各端部閉塞構造の前記側壁端部フラップの少なくとも一方が、折曲可能フラップを有し、
この折曲可能フラップが、前記ストラップハンドルの隣接端部に沿って配置され、これにより、前記ストラップハンドルが前記使用位置へと移行した時には、前記端部の前記内方移動に対応して、前記折曲可能フラップが内方移動し得るものとされ、
前記折曲可能フラップの各々が、前記側壁端部フラップのそれぞれに形成された切取可能ラインと、前記側壁端部フラップの端部自由エッジと、によって規定され、
前記切取可能ラインが、前記側壁端部フラップの上エッジから下向きに延在していることを特徴とするカートン。
【請求項１１】
請求項１０記載のカートンにおいて、
前記各側壁端部フラップの前記切取可能ラインが、前記ストラップハンドルの隣接端部の隣接側部エッジに対して概略位置合わせされるようにして、位置決めされて配置されていることを特徴とするカートン。
【請求項１２】
カートンであって、
複合頂壁を形成し得るよう互いにオーバーラップ関係でもって互いに固定される一対をなす頂壁内側パネルおよび頂壁外側パネルと、底壁と、前記複合頂壁および前記底壁に対して相互連結される一対をなす側壁と、前記頂壁内側パネルの両端部エッジに対して折曲可能に連結されかつ前記底壁に向けて延在する互いに対向した一対をなす内側端部フラップと、前記頂壁外側パネルの両端部エッジに対して折曲可能に連結されかつ前記内側端部フラップのそれぞれ対応する外面に対して配置された互いに対向した一対をなす外側端部フラップと、前記カートンの内部に配置されかつ前記頂壁内側パネルを横断して前記内側端部フラップどうしの間に延在する一体型のストラップハンドルと、を具備し、
前記ストラップハンドルが、中央把持部と、この中央把持部の各端部に連結された一対をなす広幅部と、これら広幅部のそれぞれに連結された一対をなすフォーク状端部と、を備え、
前記フォーク状端部が、前記内側端部フラップから形成され、
前記中央把持部と前記広幅部とが、前記頂壁内側パネルから形成され、
前記頂壁外側パネルが、この頂壁外側パネル内に形成されたハンドルアクセス開口を備え、この場合、このハンドルアクセス開口の全周縁が、前記頂壁外側パネルによって形成され、
前記ハンドルアクセス開口が、前記ストラップハンドルの前記中央把持部に対して部分的に鉛直方向において位置合わせされ、
前記ストラップハンドルの前記フォーク状端部が、それぞれ対応する前記内側端部フラップに対して連結されているとともに、前記外側端部フラップによる拘束に関して自由なものとされていることを特徴とするカートン。
【請求項１３】
請求項１２記載のカートンにおいて、
前記ストラップハンドルに対して面接触関係で配置されたハンドル補強ストリップを具備し、
この補強ストリップが、前記ストラップハンドルの前記中央把持部の少なくとも一部に沿って配置されるとともに、前記ストラップハンドルに対して折曲可能に連結されていることを特徴とするカートン。
【請求項１４】
請求項１３記載のカートンにおいて、
前記頂壁外側パネルが、この頂壁外側パネルに対して切取可能に連結されたカバーストリップを備え、
前記ハンドルアクセス開口が、前記カバーストリップを切り取った際には前記ハンドルアクセス開口を通して前記ストラップハンドルに対するアクセスが可能であるようにして、前記頂壁内に形成されていることを特徴とするカートン。
【請求項１５】
請求項１４記載のカートンにおいて、
前記カバーストリップが、前記ストラップハンドルの前記中央把持部に対して固定されていることを特徴とするカートン。
【請求項１６】
請求項１５記載のカートンにおいて、
前記カバーストリップに対して、握り孔を形成することとなる一対のフラップが折曲可能に連結され、
前記カバーストリップを握ったときには、前記両フラップが前記カートンの内方へと折り曲げられ、前記中央把持部と一緒に、前記ストラップハンドルによって前記カートンを持ち上げ得るようになっていることを特徴とするカートン。
【請求項１７】
請求項１６記載のカートンにおいて、
折曲可能タブが、前記ストラップハンドルの前記各フォーク状端部から形成されているとともに、前記内側端部フラップに対して折曲可能に連結されていることを特徴とするカートン。
【請求項１８】
請求項１７記載のカートンにおいて、
短いタブが、前記ストラップハンドルの前記各広幅部（２０４）から形成されているとともに、それら各広幅部に対して折曲可能に連結されていることを特徴とするカートン。
【請求項１９】
請求項１８記載のカートンにおいて、
前記折曲可能タブおよび前記短いタブの隣接端部どうしが、初期的には、互いに隣接している前記内側端部フラップと前記頂壁内側パネルとの間の折曲線に対して位置合わせされた切取線によって相互連結されていることを特徴とするカートン。
【請求項２０】
カートンであって、
互いに対向した側壁パネルによって相互連結される頂壁パネルおよび底壁パネルと、前記カートンの対向端部を少なくとも部分的に閉塞するための互いに対向した端部閉塞構造と、前記頂壁パネルを横断しつつ前記両端部閉塞構造の間にわたって延在するストラップハンドルと、を具備し、
前記端部閉塞構造の各々が、前記側壁に対して折曲可能に連結された一対をなす側壁端部フラップと、前記頂壁パネルに対して折曲可能に連結された頂壁端部フラップと、を備え、
前記各端部閉塞構造の前記側壁端部フラップが、前記頂壁端部フラップの内部に配置され、
前記ストラップハンドルが、前記頂壁パネルの下方に配置された中央把持部と、前記端部閉塞構造に隣接して配置されかつ互いに対向する両端部と、を備え、
前記ストラップハンドルの前記各端部が、前記頂壁端部フラップの隣接箇所と前記側壁端部フラップの隣接箇所との間に配置され、
前記ストラップハンドルが、前記各端部のところにおいて前記端部閉塞構造に対して連結され、この場合、前記ストラップハンドルが、前記頂壁端部フラップがなす各平面内に前記両端部が位置している待機位置から、前記各平面よりも内方位置へと前記両端部が内方移動している使用位置へと、移行可能なものとされ、
前記各端部閉塞構造の前記側壁端部フラップの少なくとも一方が、折曲可能フラップを有し、
この折曲可能フラップが、前記ストラップハンドルの隣接端部に沿って配置され、これにより、前記ストラップハンドルが前記使用位置へと移行した時には、前記端部の前記内方移動に対応して、前記折曲可能フラップが内方移動し得るものとされ、
前記折曲可能フラップの各々が、前記側壁端部フラップのそれぞれ対応するものに形成された切取線と、前記側壁端部フラップの自由端部エッジと、によって形成され、
前記切取線が、前記側壁端部フラップの上エッジから下向きに延在していることを特徴とするカートン。
【請求項２１】
請求項２０記載のカートンにおいて、
前記側壁端部フラップの前記切取線が、この切取線が前記ストラップハンドルの前記隣接端部の隣接側方エッジに対して全体的に位置合わせされるようにして、配置されていることを特徴とするカートン。
【請求項２２】
請求項２０記載のカートンにおいて、
前記頂壁パネルが、この頂壁パネル内に形成されたカバーストリップを備え、
このカバーストリップが、前記頂壁パネルに対して切取可能に連結され、
前記カバーストリップを切り取った際には、ハンドルアクセス開口が形成されるようになっており、
このハンドルアクセス開口は、このハンドルアクセス開口を通しての前記ストラップハンドルに対してのアクセスを可能とすることを特徴とするカートン。
【請求項２３】
カートンであって、
チューブ状構造を形成し得るよう対向側壁パネルによって相互連結された頂壁パネルおよび底壁パネルと、前記チューブ状構造の両端部を少なくとも部分的に閉塞する互いに対向した端部閉塞構造と、前記頂壁パネルを横断して前記端部閉塞構造の間に延在する一体型のストラップハンドルと、を具備し、
前記端部閉塞構造の各々が、前記側壁パネルに対して折曲可能に連結される側壁端部フラップと、前記頂壁パネルに対して折曲可能に連結される頂壁端部フラップと、を備え、
前記各端部閉塞構造の前記頂壁端部フラップが、隣接する前記側壁端部フラップの外面上に配置され、
前記ストラップハンドルが、前記頂壁パネルから形成された中央把持部と、前記各頂壁端部フラップから形成されかつ互いに対向する両端部と、を備え、
前記ストラップハンドルが、前記両端部において前記端部閉塞構造に対して連結され、この場合、前記ストラップハンドルが、前記頂壁端部フラップがなす各平面内に前記両端部が位置している待機位置から、前記各平面よりも内方位置へと前記両端部が内方移動している使用位置へと、移行可能なものとされ、
前記各端部閉塞構造の前記側壁端部フラップの少なくとも一方が、折曲可能フラップを有し、
この折曲可能フラップが、前記ストラップハンドルが前記使用位置へと移行した時には、前記端部の前記内方移動に対応して、前記折曲可能フラップが内方移動し得るものとされ、
前記側壁端部フラップのサイズが、前記各端部閉塞構造のこれら側壁端部フラップどうしが互いにオーバーラップし得るようなサイズとされているとともに、全体として前記カートンの幅全体を横断して延在しており、
前記各端部閉塞構造の前記側壁端部フラップの各々には、上側端部コーナーのところに、斜めエッジが設けられ、
前記各端部閉塞構造の前記側壁端部フラップの前記斜めエッジが、前記カートン内にパッケージングされる物品を収容するためのノッチを規定することを特徴とするカートン。